(57)【要約】【課題】第１基板において端子が形成されている突出部が位置する側から、電気光学パネルを囲むフレームに効率よく熱を逃がすことのできる電気光学モジュール、および該電気光学モジュールを備えた投射型表示装置を提供すること。【解決手段】電気光学モジュール１０において、第１基板５１の突出部５１５が位置する側の側面５１４や第２基板５２の側面５２４に対向する位置にはフレーム６０が存在しない。フレーム６０と電気光学パネル４０との間には、第１基板５１の突出部５１５の第２基板５２側の面、第２基板５２の側面５２４、および第２透光板５７の側面５７４に対向する枠部３４を備えた放熱部材３０が配置されている。また、放熱部材３０は、枠部３４の両端側から第２基板５２の側面５２１、５２２とフレーム６０との間に向けて延在する枠部３１、３２を備えている。【選択図】図７
2015106011.tif 000002
【特許請求の範囲】
【請求項１】
第１基板、該第１基板に対向配置された第２基板、および前記第１基板と前記第２基板との間に設けられた電気光学物質層を備え、前記第１基板の前記第２基板の第１側面側から張り出す張出部の前記第２基板側の面に端子が設けられた電気光学パネルと、
前記第２基板において前記第１側面の一方端に隣接する第２側面の側、および前記第２基板において前記第１側面の他方端に隣接する第３側面の側で前記第１基板の側面を囲むフレームと、
前記張出部の前記第２基板側の面および前記第１側面に対向する第１枠部、該第１枠部の一方端側から前記第２側面と前記フレームとの間に向けて延在する第２枠部、および前記第１枠部の他方端側から前記第３側面と前記フレームとの間に向けて延在する第３枠部を備えた放熱部材と、
を有していることを特徴とする電気光学モジュール。
【請求項２】
前記第２枠部は、前記第２側面の側で前記第１基板の側面、前記第２側面および前記フレームに対向し、
前記第３枠部は、前記第３側面の側で前記第１基板の側面、前記第３側面および前記フレームに対向していることを特徴とする請求項１に記載の電気光学モジュール。
【請求項３】
前記第１側面と前記第１枠部との間、前記フレームと前記第２枠部との間、および前記フレームと前記第３枠部との間には接着剤が介在していることを特徴とする請求項１または２に記載の電気光学モジュール。
【請求項４】
前記フレームは、前記第２基板において前記第１側面に対して前記第２側面および前記第３側面を挟んだ反対側に位置する第４側面を囲み、
前記放熱部材は、前記第１枠部に対して前記第２基板を挟んだ反対側で前記第４側面と前記フレームとの間で延在する第４枠部を備えていることを特徴とする請求項１乃至３の何れか一項に記載の電気光学モジュール。
【請求項５】
平面視において、前記第１枠部の幅寸法は、前記第２枠部の幅寸法および前記第３枠部の幅寸法より大であることを特徴とする請求項１乃至４の何れか一項に記載の電気光学モジュール。
【請求項６】
前記第２基板の前記第１基板とは反対側の面には、前記第２基板側の面の一部が張り出した状態で第２基板側透光板が重ねて配置され、
前記第２基板側透光板の前記第２基板側の面で当該第２基板から張り出した張出面、および前記第２基板側透光板の前記第２基板と重なる領域の一部には金属および金属化合物のうちの少なくとも一方を備えた遮光層が形成され、
前記放熱部材は前記遮光層と対向していることを特徴とする請求項１乃至５の何れか一項に記載の電気光学モジュール。
【請求項７】
前記第１基板の前記第２基板とは反対側の面に、当該第１基板の前記第２基板側の面の一部を張り出した状態で第１基板側透光板が重ねて配置され、
前記フレームは、前記第１基板側透光板の側面、および前記第１基板の前記第１基板側透光板側の面で当該第１基板側透光板から張り出した張出面に対向していることを特徴と請求項１乃至６の何れか一項に記載の電気光学モジュール。
【請求項８】
前記第１基板の前記第２基板とは反対側の面に、当該第１基板の前記第２基板側の面の一部を張り出した状態で第１基板側透光板が重ねて配置され、
前記フレームと前記第１基板側透光板との間には、前記第１基板および前記第２基板より熱伝導率が高いプレートが配置され、
前記プレートは、前記第１基板側透光板の側面、前記第１基板の前記第１基板側透光板側の面で当該第１基板側透光板から張り出した張出面、および前記フレームに対向していることを特徴とする請求項１乃至６の何れか一項に記載の電気光学モジュール。
【請求項９】
前記放熱部材は、前記フレームより熱伝導率が高いことを特徴とする請求項１乃至８の何れか一項に記載の電気光学モジュール。
【請求項１０】
前記端子にはフレキシブル配線基板が接続されており、
前記フレキシブル配線基板と前記放熱部材との間、および前記突部の前記第２基板側の面で前記フレキシブル配線基板から張り出した張出面との間のうちの少なくとも一方には絶縁部材が設けられていることを特徴とする請求項１乃至９の何れか一項に記載の電気光学モジュール。
【請求項１１】
前記第１基板は、画素電極および該画素電極に対応して設けられたスイッチング素子を備えた素子基板であることを特徴とする請求項１乃至１０の何れか一項に記載の電気光学モジュール。
【請求項１２】
前記電気光学パネルは、前記電気光学物質層としての液晶層を備えた液晶パネルであることを特徴とする請求項１１に記載の電気光学モジュール。
【請求項１３】
請求項１乃至１２の何れか一項に記載の電気光学モジュールを備えた電子機器であって、
前記電気光学モジュールに供給される光を出射する光源部と、
前記電気光学モジュールによって変調された光を投射する投射光学系と、
を有していることを特徴とする投射型表示装置。
【請求項１４】
前記電気光学モジュールに冷却気体を供給する冷却装置を有していることを特徴とする請求項１３に記載の投射型表示装置。
【発明の詳細な説明】
【技術分野】
【０００１】
本発明は、投射型表示装置等の電子機器に用いられる電気光学モジュール、および該電気光学モジュールを備えた投射型表示装置に関するものである。
【背景技術】
【０００２】
投射型表示装置等の電子機器において画像を表示する際には、液晶パネル等の電気光学パネルによって変調した光を利用する。かかる電気光学パネルは、例えば、第１基板と第２基板との間に液晶層等の電気光学物質層が設けられた構成を有している。また、第１基板は、第２基板から張り出す張出部を備えており、かかる張出部の第２基板側の面には、フレキシブル配線が接続された端子が設けられている。また、電気光学パネルは、フレーム（枠体）の内側に収容されて電気光学モジュールとして電子機器に搭載される（特許文献１参照）。
【０００３】
かかる電気光学モジュールでは、電気光学パネル自身での発熱や光源光の入射に起因する発熱によって、電気光学パネルが温度上昇すると、電気光学物質層の劣化等が発生する。
【０００４】
そこで、第１基板に対して第２基板とは反対側で第１基板とフレーム（ケース）との間に金属製の放熱部品を配置した構成が提案されている（特許文献２参照）。
【０００５】
また、電気光学パネルを実装ケースで保持するとともに、第２基板に対して第１基板とは反対側にフィンを備えた放熱部材（プレート）を配置し、電気光学パネルの熱を、実装ケースを介して放熱部材に逃がす構成が提案されている（特許文献３参照）。
【先行技術文献】
【特許文献】
【０００６】
【特許文献１】特開２００５−１９６０２７号公報
【特許文献２】特開２００４−１９４７８５号公報
【特許文献３】特開２００４−１９８９３３号公報
【発明の概要】
【発明が解決しようとする課題】
【０００７】
しかしながら、電気光学モジュールでは、第１基板の張出部の第２基板側にはフレキシブル配線が接続されているため、第１基板の張出部に対して第２基板側にフレームを配置することができないため、特許文献１、２に記載の構成では、張出部が位置する側からフレームに熱を逃がすことができないという問題点がある。
【０００８】
なお、特許文献３に記載の構成では、第１基板の張出部に対して第２基板側に放熱部材が位置するが、電気光学パネルの熱を、実装ケースを介して放熱部材に逃がす構成である。このため、放熱部材は、フレキシブル配線基板が位置する側に隣接する側面では、実装ケースを外側から覆っているため、電気光学モジュールが大型化するという問題点がある。
【０００９】
以上の問題点に鑑みて、本発明の課題は、第１基板において端子が形成されている張出部が位置する側から、電気光学パネルを囲むフレームに効率よく熱を逃がすことのできる電気光学モジュール、および該電気光学モジュールを備えた投射型表示装置を提供することにある。
【課題を解決するための手段】
【００１０】
上記課題を解決するために、本発明に係る電気光学モジュールは、第１基板、該第１基板に対向配置された第２基板、および前記第１基板と前記第２基板との間に設けられた電気光学物質層を備え、前記第１基板の前記第２基板の第１側面から突出する突出部の前記第２基板側の面に端子が設けられた電気光学パネルと、前記第１基板および前記第２基板より熱伝導率が高く、前記第２基板において前記第１側面の一方端に隣接する第２側面の側、および前記第２基板において前記第１側面の他方端に隣接する第３側面の側で前記第１基板の側面を囲むフレームと、前記突出部の前記第２基板側の面および前記第１側面に対向する第１枠部、該第１枠部の一方端側から前記第２側面と前記フレームとの間に向けて延在する第２枠部、および前記第１枠部の他方端側から前記第３側面と前記フレームとの間に向けて延在する第３枠部を備え、前記第１基板および前記第２基板より熱伝導率が高い放熱部材と、を有していることを特徴とする。
【００１１】
なお、本願発明における「透光性」とは、少なくとも、変調すべき光や透過すべき光に対して透光性を有していればよいことを意味する。
【００１２】
本発明において、フレームは、第２基板の第２側面の側および第３側面の側で第１基板を囲んでいるが、第１基板の突出部が位置する側の側面や第２基板の第１側面に対向する位置にはフレームが存在しない。このため、このため、突出部の端子に接続したフレキシブル配線基板等の配線材を外側に引き出す際にフレームが邪魔にならない。また、突出部の第２基板側の面および第２基板の第１側面に対向するように、放熱部材の第１枠部が配置されているとともに、放熱部材の第２枠部および第３枠部は各々、第２側面とフレームとの間、および第３側面とフレームとの間に向けて延在している。このため、第１基板の突出部が位置する側の側面や第２基板の第１側面に対向する位置にはフレームが存在しないが、突出部が位置する側では、電気光学パネルで発生した熱を、放熱部材の第１枠部を介して第２枠部および第３枠部に逃がした後、さらにフレームに逃がすことができる。それ故、電気光学モジュールを大型化しなくても、電気光学パネルの温度ばらつきや温度上昇を低く抑えることができるので、電気光学パネルの温度上昇に起因する電気光学物質層の劣化を抑制することができる。
【００１３】
本発明において、前記第２枠部は、前記第２側面の側で前記第１基板の側面、前記第２側面および前記フレームに対向し、前記第３枠部は、前記第３側面の側で前記第１基板の側面、前記第３側面および前記フレームに対向している構成を採用することができる。かかる構成によれば、電気光学パネルの熱を第１基板の端部や、第２基板の端部から放熱部材を介してフレームに逃がすことができる。
【００１４】
本発明において、前記第１側面と前記第１枠部との間、前記フレームと前記第２枠部との間、および前記フレームと前記第３枠部との間には接着剤が介在していることが好ましい。かかる構成によれば、第１側面と第１枠部との間、フレームと第２枠部との間、およびフレームと第３枠部との間に空気層が介在しないので、電気光学パネルの熱を第２基板の側面から放熱部材の第１枠に逃がすことができるとともに、放熱部材の第２枠部および第３枠部からフレームに熱を効率よく逃がすことができる。
【００１５】
本発明において、前記フレームは、前記第２基板において前記第１側面に対して前記第２側面および前記第３側面を挟んだ反対側に位置する第４側面を囲み、前記放熱部材は、前記第１枠部に対して前記第２基板を挟んだ反対側で前記第４側面と前記フレームとの間で延在する第４枠部を備えている構成を採用することが好ましい。かかる構成によれば、電気光学パネルの熱を、放熱部材を介してフレームにより効率よく逃がすことができる。
【００１６】
本発明において、平面視において、前記第１枠部の幅寸法は、前記第２枠部の幅寸法および前記第３枠部の幅寸法より大であることが好ましい。かかる構成によれば、電気光学パネルで発生した熱を、突出部が位置する側から放熱部材に効率よく逃がすことができる。
【００１７】
本発明において、前記第２基板の前記第１基板とは反対側の面には、前記第２基板側の面の一部が露出した状態で第２基板側透光板が重ねて配置され、前記第２基板側透光板の前記第２基板側の面で当該第２基板から露出している露出面、および前記第２基板側透光板の前記第２基板と重なる領域の一部には金属および金属化合物のうちの少なくとも一方を備えた遮光層が形成され、前記放熱部材は前記遮光層と対向していることが好ましい。かかる構成によれば、電気光学パネルの熱を、遮光層を介して放熱部材に逃がすことができる。また、遮光層が光を吸収した場合でも、遮光層の熱を放熱部材に逃がすことができる。
【００１８】
本発明において、前記第１基板の前記第２基板とは反対側の面に、当該第１基板の前記第２基板側の面の一部を露出させた状態で第１基板側透光板が重ねて配置され、前記フレームは、前記第１基板側透光板の側面、および前記第１基板の前記第１基板側透光板側の面で当該第１基板側透光板から露出している露出面に対向していることが好ましい。かかる構成によれば、電気光学パネルで発生した熱を第１基板の第１基板側透光板からの露出面からフレームに効率よく逃がすことができる。
【００１９】
本発明において、前記第１基板の前記第２基板とは反対側の面に、当該第１基板の前記第２基板側の面の一部を露出させた状態で第１基板側透光板が重ねて配置され、前記フレームと前記第１基板側透光板との間には、前記第１基板および前記第２基板より熱伝導率が高いプレートが配置され、前記プレートは、前記第１基板側透光板の側面、前記第１基板の前記第１基板側透光板側の面で当該第１基板側透光板から露出している露出面、および前記フレームに対向している構成を採用してもよい。かかる構成によれば、電気光学パネルで発生した熱を第１基板の第１基板側透光板からの露出面から放熱部材を介してフレームに効率よく逃がすことができる。
【００２０】
本発明において、前記放熱部材は、前記フレームより熱伝導率が高いことが好ましい。かかる構成によれば、電気光学パネルで発生した熱を、放熱部材を介してフレームに効率よく逃がすことができる。
【００２１】
本発明において、前記端子にはフレキシブル配線基板が接続されており、前記フレキシブル配線基板と前記放熱部材との間、および前記突部の前記第２基板側の面で前記フレキシブル配線基板から露出している露出面との間のうちの少なくとも一方には絶縁部材が設けられていることが好ましい。
【００２２】
本発明において、前記第１基板は、画素電極および該画素電極に対応して設けられたスイッチング素子を備えた素子基板であることが好ましい。かかる構成を採用すれば、第１基板で発生した熱をフレームに効率よく逃がすことができる。
【００２３】
本発明において、前記電気光学パネルは、例えば、前記電気光学物質層としての液晶層を備えた液晶パネルである。
【００２４】
本発明は、電気光学モジュールが投射型表示装置に用いられる場合に適用すると効果的であり、かかる投射型表示装置は、前記電気光学モジュールに供給される光を出射する光源部と、前記電気光学モジュールによって変調された光を投射する投射光学系と、を有している。投射型表示装置の場合には、電気光学パネルに強い光源光が入射するが、本発明によれば、電気光学パネルの温度上昇を低く抑えることができる。
【００２５】
本発明に係る投射型表示装置は、前記電気光学モジュールに冷却気体を供給する冷却装置を有していることが好ましい。かかる構成によれば、電気光学モジュールの温度上昇を効率よく抑えることができる。
【図面の簡単な説明】
【００２６】
【図１】本発明を適用した電子機器の一例としての投射型表示装置の説明図である。
【図２】本発明を適用した投射型表示装置に用いた光学ユニットの構成を示す説明図である。
【図３】本発明を適用した投射型表示装置に用いた光学ユニットの詳細構成を示す説明図である。
【図４】本発明を適用した電気光学モジュールに用いた電気光学パネルの説明図である。
【図５】本発明の実施の形態１に係る電気光学モジュールを光出射側からみたときの斜視図である。
【図６】本発明の実施の形態１に係る電気光学モジュールの説明図である。
【図７】本発明の実施の形態１に係る電気光学モジュールの断面図である。
【図８】本発明の実施の形態１に係る電気光学モジュールを分解した様子を光出射側からみたときの分解斜視図である。
【図９】本発明の実施の形態１の変形例１に係る電気光学モジュールの断面図である。
【図１０】本発明の実施の形態１の変形例２に係る電気光学モジュールの断面図である。
【図１１】本発明の実施の形態２に係る電気光学モジュールの断面図である。
【図１２】本発明の実施の形態３に係る電気光学モジュールの断面図である。
【図１３】本発明の実施の形態３の変形例１に係る電気光学モジュールの断面図である。
【図１４】本発明の実施の形態４に係る電気光学モジュールの断面図である。
【図１５】本発明の実施の形態５に係る電気光学モジュールの断面図である。
【図１６】本発明の実施の形態６に係る電気光学モジュールの断面図である。
【図１７】本発明の実施の形態７に係る電気光学モジュールの断面図である。
【図１８】本発明の実施の形態８に係る電気光学モジュールの断面図である。
【発明を実施するための形態】
【００２７】
図面を参照して、本発明の実施の形態を説明する。なお、以下の説明では、本発明を適用した電子機器として、透過型の電気光学パネル（透過型の液晶パネル）を備えた電気光学モジュールをライトバルブとして用いた投射型表示装置を説明する。また、以下の説明で参照する図においては、各層や各部材を図面上で認識可能な程度の大きさとするため、各層や各部材毎に縮尺を異ならしめてある。
【００２８】
［実施の形態１］
（投射型表示装置（電子機器）の全体）
図１は、本発明を適用した電子機器の一例としての投射型表示装置の説明図であり、図１（ａ）、（ｂ）は、投射型表示装置の主要部分の平面的な構成を示す説明図、および主要部分を側方からみたときの説明図である。図２は、本発明を適用した投射型表示装置に用いた光学ユニットの構成を示す説明図である。
【００２９】
図１に示す投射型表示装置１において、外装ケース２の内部には、その後端側に電源ユニット７が配置され、電源ユニット７に装置前側で隣り合う位置に光源ランプユニット８（光源部）および光学ユニット９が配置されている。また、外装ケース２の内部には、光学ユニット９の前側の中央に投射レンズユニット６の基端側が位置している。光学ユニット９の一方の側には、入出力インターフェース回路が搭載されたインターフェース基板１１が装置前後方向に向けて配置され、インターフェース基板１１に平行に、ビデオ信号処理回路が搭載されたビデオ基板１２が配置されている。光源ランプユニット８および光学ユニット９の上側には装置駆動制御用の制御基板１３が配置され、装置前端側の左右の角の各々にはスピーカー１４Ｒ、１４Ｌが配置されている。
【００３０】
光学ユニット９の上方および下方には装置内部冷却用の吸気ファン１５Ａ、１５Ｂが配置されている。また、光源ランプユニット８の裏面側である装置側面には排気ファン１６が配置されている。さらに、インターフェース基板１１およびビデオ基板１２の端に面する位置には、吸気ファン１５Ａからの冷却用空気流を電源ユニット７内に吸引するための補助冷却ファン１７が配置されている。これらのファンのうち、吸気ファン１５Ｂは、後述する電気光学パネル４０に対する冷却用ファン（冷却装置）として機能している。
【００３１】
図２において、光学ユニット９を構成する各光学素子（要素）は、色光合成手段を構成しているプリズムユニット２０を含めて、ＭｇやＡｌ等の金属からなる上ライトガイド２１または下ライトガイド２２により支持されている。上ライトガイド２１および下ライトガイド２２は、アッパーケース３およびロアーケース４に固定ねじにより固定されている。
【００３２】
（光学ユニット９の詳細構成）
図３は、本発明を適用した投射型表示装置に用いた光学ユニットの詳細構成を示す説明図である。図３に示すように、光学ユニット９は、光源ランプ８０５と、均一照明光学素子であるインテグレーターレンズ９２１、９２２を有する照明光学系９２３と、この照明光学系９２３から出射される光束Ｗを、赤、緑、青の各光束Ｒ、Ｇ、Ｂに分離する色光分離光学系９２４とを有している。また、光学ユニット９は、各色光束を変調する電気光学パネル（ライトバルブ）としての３枚の透過型の電気光学パネル４０（Ｒ）、４０（Ｇ）、４０（Ｂ）と、変調された色光束を合成する色光合成光学系としてのプリズムユニット２０と、合成された光束を投射面上に拡大投射する投射レンズユニット６とを有している。また、色光分離光学系９２４によって分離された各色光束のうち、青色光束Ｂに対応する電気光学パネル４０（Ｂ）に導くリレー光学系９２７を備えている。
【００３３】
照明光学系９２３は、さらに、反射ミラー９３１を備えており、光源ランプ８０５からの出射光の光軸１ａを装置前方向に向けて直角に折り曲げるようにしている。この反射ミラー９３１を挟み、インテグレーターレンズ９２１、９２２が前後に直交する状態に配置されている。
【００３４】
色光分離光学系９２４は、青緑反射ダイクロイックミラー９４１と、緑反射ダイクロイックミラー９４２と、反射ミラー９４３から構成される。まず、青緑反射ダイクロイックミラー９４１において、照明光学系９２３を通った光束Ｗのうち、そこに含まれている青色光束Ｂおよび緑色光束Ｇが直角に反射されて、緑反射ダイクロイックミラー９４２の側に向かう。赤色光束Ｒは、この青緑反射ダイクロイックミラー９４１を通過して、後方の反射ミラー９４３で直角に反射されて、赤色光束の出射部９４４から色光合成光学系の側に出射される。次に、緑反射ダイクロイックミラー９４２において、青緑反射ダイクロイックミラー９４１において反射された青および緑の光束Ｂ、Ｇのうち、緑色光束Ｇのみが直角に反射されて、緑色光束の出射部９４５から色光合成光学系の側に出射される。緑反射ダイクロイックミラー９４２を通過した青色光束Ｂは、青色光束の出射部９４６からリレー光学系９２７の側に出射される。本形態では、照明光学系９２３の光束の出射部から色光分離光学系９２４における各色光束の出射部９４４、９４５、９４６までの距離が、全てほぼ等しくなるように設定されている。
【００３５】
色光分離光学系９２４の赤色光束および緑色光束の出射部９４４、９４５の出射側には、それぞれ集光レンズ９５１、９５２が配置されている。従って、各出射部から出射した赤色光束および緑色光束は、これらの集光レンズ９５１、９５２に入射して平行化される。
【００３６】
平行化された赤色および緑色の光束Ｒ、Ｇは、偏光板１６０（Ｒ）、１６０（Ｇ）によって偏光方向が揃えられた後、電気光学パネル４０（Ｒ）、４０（Ｇ）に入射して変調され、各色光に対応した画像情報が付加される。すなわち、これらの電気光学パネル４０（Ｒ）、４０（Ｇ）は、図示していない駆動手段によって画像情報に対応する画像信号によってスイッチング制御され、これにより、ここを通過する各色光の変調が行われる。このような駆動手段は、公知の手段をそのまま使用することができる。
【００３７】
一方、青色光束Ｂは、リレー光学系９２７を介し、さらに、偏光板１６０（Ｂ）によって偏光方向が揃えられた後、対応する電気光学パネル４０（Ｂ）に導かれて、ここにおいて、同様に画像情報に応じて変調が施される。リレー光学系９２７は、集光レンズ９７４と入射側反射ミラー９７１と、出射側反射ミラー９７２と、これらのミラー間に配置した中間レンズ９７３と、電気光学パネル４０（Ｂ）の手前側に配置した集光レンズ９５３から構成される。各色光束の光路の長さ、すなわち、光源ランプ８０５から各液晶パネルまでの距離は、青色光束Ｂが最も長くなり、従って、この光束の光量損失が最も多くなる。しかし、リレー光学系９２７を介在させることにより、光量損失を抑制できる。
【００３８】
各電気光学パネル４０（Ｒ）、４０（Ｇ）、４０（Ｂ）を通って変調された各色光束は、偏光板１６１（Ｒ）、１６１（Ｇ）、１６１（Ｂ）に入射し、これを透過した光がプリズムユニット２０（クロスダイクロイックプリズム）に入射して合成される。ここで合成されたカラー画像は、投射レンズ系を備えた投射レンズユニット６を介して、所定の位置にあるスクリーン等の被投射面１ｂ上に拡大投射される。
【００３９】
（電気光学パネル４０の構成）
図４は、本発明を適用した電気光学モジュールに用いた電気光学パネル４０の説明図であり、図４（ａ）、（ｂ）は各々、電気光学パネル４０を各構成要素と共に第２基板の側から見た平面図、およびそのＨ−Ｈ′断面図である。
【００４０】
なお、図４および後述する図５〜図８において、光源光の進行方向については矢印Ｌ１１で示し、電気光学パネル４０によって光源光を変調した後の表示光の進行方向については矢印Ｌ１２で示し、図１に示す吸気ファン１５Ｂ等によって電気光学パネル４０に供給される冷却空気（冷却気体）の流れについては矢印Ａで示してある。また、以下の説明では、電気光学パネル４０および電気光学モジュール１０の面内方向で互いに交差する方向の一方をＸ軸方向とし、他方をＹ軸方向とし、Ｘ軸方向およびＹ軸方向に交差する方向をＺ軸方向とする。また、以下に参照する図面では、Ｘ軸方向の一方側（フレキシブル配線基板４０ｉが設けられている側）をＸ１側とし、他方側をＸ２側とし、Ｙ軸方向の一方側をＹ１側とし、他方側をＹ２側とし、Ｚ軸方向の一方側（光源光が入射する側）をＺ１側とし、他方側（表示光が出射される側）をＺ２側として表してある。
【００４１】
図１〜図３を参照して説明した投射型表示装置１において、光学ユニット９に電気光学パネル４０（Ｒ）、４０（Ｇ）、４０（Ｂ）を搭載するにあたっては、電気光学パネル４０（Ｒ）、４０（Ｇ）、４０（Ｂ）を各々、後述する電気光学モジュール１０（Ｒ）、１０（Ｇ）、１０（Ｂ）として搭載する。電気光学パネル４０（Ｒ）、４０（Ｇ）、４０（Ｂ）は同一の構成を有しており、電気光学パネル４０（Ｒ）、４０（Ｇ）、４０（Ｂ）を備えた電気光学モジュール１０（Ｒ）、１０（Ｇ）、１０（Ｂ）も赤色用（Ｒ）、緑色用（Ｇ）、青色用（Ｂ）で同一の構成を有している。従って、以下の説明では、電気光学パネル４０（Ｒ）、４０（Ｇ）、４０（Ｂ）および電気光学モジュール１０（Ｒ）、１０（Ｇ）、１０（Ｂ）等については、対応する色を示す（Ｒ）（Ｇ）（Ｂ）を付さずに説明する。
【００４２】
図４に示すように、電気光学パネル４０では、透光性の第１基板５１（素子基板）と透光性の第２基板５２（対向基板）とが所定の隙間を介してシール材４０７によって貼り合わされている。第１基板５１および第２基板５２は石英や耐熱ガラス等が用いられており、本形態において、第１基板５１および第２基板５２には石英が用いられている。本形態において、電気光学パネル４０は液晶パネルであり、第１基板５１と第２基板５２との間においてシール材４０７によって囲まれた領域内に電気光学物質層４５０としての液晶層が保持されている。シール材４０７は、第２基板５２の外縁に沿うように枠状に設けられている。シール材４０７は、光硬化性を備えた接着剤、熱硬化性の接着剤、あるいは光硬化性および熱硬化性の双方を備えた接着剤であり、両基板間の距離を所定値とするためのグラスファイバー、あるいはガラスビーズ等のギャップ材が配合されている。
【００４３】
本形態において、第１基板５１は四角形であり、４つの辺からなる側面５１１、５１２、５１３、５１４を備えている。第２基板５２も、第１基板５１と同様、四角形であり、４つの辺からなる側面５２１、５２２、５２３、５２４を備えている。電気光学パネル４０の略中央には、変調光を出射する画像表示領域４０ａが四角形の領域として設けられている。かかる形状に対応して、シール材４０７も略四角形に設けられ、シール材４０７の内周縁と画像表示領域４０ａの外周縁との間には、四角枠状の周辺領域４０ｃが設けられている。
【００４４】
本形態において、第１基板５１は第２基板５２よりサイズが大きく、第１基板５１の４つの側面５１１、５１２、５１３、５１４は各々、第２基板５２の側面５２１、５２２、５２３、５２４より外側に張り出している。このため、第２基板５２の周りには、第１基板５１と第２基板５２の側面５２１、５２２、５２３、５２４とによって段部４０ｓ、４０ｔ、４０ｕ、４０ｖが形成され、かかる段部４０ｓ、４０ｔ、４０ｕ、４０ｖでは、第１基板５１が第２基板５２から露出した状態にある。
【００４５】
第１基板５１の第１面５１ａおよび第２面５１ｂのうち、第２基板５２と対向する第１面５１ａには、画像表示領域４０ａに、透光性の画素電極４０５ａおよび画素電極４０５ａに対応する画素トランジスター（スイッチング素子／図示せず）を備えた画素がマトリクス状に形成されており、かかる画素電極４０５ａの上層側には配向膜４１６が形成されている。また、第１基板５１の第１面５１ａにおいて、周辺領域４０ｃには、画素電極４０５ａと同時形成されたダミー画素電極４０５ｂが形成されている。ダミー画素電極４０５ｂについては、ダミーの画素トランジスターと電気的に接続された構成、ダミーの画素トランジスターが設けられずに配線に直接、電気的に接続された構成、あるいは電位が印加されていないフロート状態にある構成が採用される。
【００４６】
また、第１基板５１において、Ｙ軸方向の一方側Ｙ１に位置する側面５１４は、他の側面５１１、５１２、５１３より第２基板５２の側面５２４から大きく張り出しており、かかる張出部５１５の第２基板５２側の面（第１面５１ａ）には、側面５１４に沿ってデータ線駆動回路４０１および複数の端子４０２が形成されている。また、第１基板５１には、側面５１１、５１２に沿って走査線駆動回路４０４が形成されている。端子４０２には、フレキシブル配線基板４０ｉが接続されており、第１基板５１には、フレキシブル配線基板４０ｉを介して各種電位や各種信号が入力される。なお、第１基板５１では、側面５１４とフレキシブル配線基板４０ｉとに跨るように補強用の接着剤４１が塗布されている。
【００４７】
第２基板５２の第１面５２ａおよび第２面５２ｂのうち、第１基板５１と対向する第１面５２ａには透光性の共通電極４２１が形成されており、共通電極４２１の上層には配向膜４２６が形成されている。共通電極４２１は、第２基板５２の略全面あるいは複数の帯状電極として複数の画素に跨って形成されており、本形態において、共通電極４２１は、第２基板５２の略全面に形成されている。また、第２基板５２の第１面５２ａには、共通電極４２１の下層側に遮光層４０８が形成されている。本形態において、遮光層４０８は、画像表示領域４０ａの外周縁に沿って延在する額縁状に形成されており、かかる遮光層４０８の内縁によって画像表示領域４０ａが規定されている。遮光層４０８の外周縁は、シール材４０７の内周縁との間に隙間を隔てた位置にあり、遮光層４０８とシール材４０７とは被さっていない。また、第２基板５２において、隣り合う画素電極４０５ａにより挟まれた領域と重なる領域等には、遮光層４０８と同時形成された遮光層がブラックマトリクスあるいはブラックストライプとして形成されることもある。
【００４８】
第１基板５１には、シール材４０７より外側において第２基板５２の角部分と重なる領域に、第１基板５１と第２基板５２との間で電気的導通をとるための基板間導通用電極４０９が形成されている。基板間導通用電極４０９と第２基板５２との間には、導電粒子を含んだ基板間導通材４０９ａが配置されており、第２基板５２の共通電極４２１は、基板間導通材４０９ａおよび基板間導通用電極４０９を介して、第１基板５１側に電気的に接続されている。このため、共通電極４２１は、第１基板５１の側から共通電位が印加されている。シール材４０７は、略同一の幅寸法をもって第２基板５２の外周縁に沿って設けられている。但し、シール材４０７は、第２基板５２の角部分と重なる領域では基板間導通用電極４０９を避けて内側を通るように設けられている。
【００４９】
かかる構成の電気光学パネル４０において、本形態では、画素電極４０５ａおよび共通電極４２１がＩＴＯ膜等の透光性導電膜により形成されているため、電気光学パネル４０は透過型の液晶パネルである。かかる透過型の液晶パネル（電気光学パネル４０）の場合、第１基板５１および第２基板５２のうち、一方側の基板から入射した光が他方側の基板を透過して出射される間に変調される。本形態では、第２基板５２から入射した光（矢印Ｌ１１で示す）が第１基板５１を透過して変調光（矢印Ｌ１２で示す）として出射される構成になっている。このため、第２基板５２はＺ軸方向の一方側Ｚ１に配置され、第１基板５１はＺ軸方向の他方側Ｚ２に配置されている。なお、共通電極４２１を透光性導電膜により形成し、画素電極４０５ａを反射性導電膜により形成すると、反射型の液晶パネルを構成することができる。反射型の液晶パネルの場合、第２基板５２の側から入射した光が第１基板５１の側で反射して出射される間に変調される。本形態の電気光学パネル４０は、前記した投射型表示装置（液晶プロジェクター）において、ライトバルブとして用いられるため、カラーフィルターは形成されない。但し、電気光学パネル４０を、モバイルコンピューター、携帯電話機等といった電子機器の直視型のカラー表示装置として用いる場合、第２基板５２には、カラーフィルターが形成される。
【００５０】
（電気光学モジュール１０の全体構成）
図５は、本発明の実施の形態１に電気光学モジュールを光出射側からみたときの斜視図である。図６は、本発明の実施の形態１に係る電気光学モジュールの説明図であり、図６（ａ）、（ｂ）、（ｃ）は、電気光学モジュールを光出射側からみたときの平面図、Ｘ軸方向の他方側Ｘ２からみた側面図、および光入射側からみたときの底面図である。図７は、本発明の実施の形態１に係る電気光学モジュールの断面図であり、図７（ａ）、（ｂ）は、電気光学モジュールのＹＺ断面図、およびＸＺ断面図である。図８は、本発明の実施の形態１に係る電気光学モジュールを分解した様子を光出射側からみたときの分解斜視図である。
【００５１】
なお、以下の説明において、本発明における「第２基板の第１側面、第２側面、第３側面、第４側面」と図４に示す第２基板５２の側面５２１〜５２４とは、以下の関係
「第２基板の第１側面」＝第２基板５２の側面５２４
「第２基板の第２側面」＝第２基板５２の側面５２１
「第２基板の第３側面」＝第２基板５２の側面５２２
「第２基板の第４側面」＝第２基板５２の側面５２３
にある。
【００５２】
図５〜図８に示すように、電気光学パネル４０を投射型表示装置１の光学ユニット９に搭載するには、補強等を目的に、電気光学パネル４０をフレーム６０により保持した電気光学モジュール１０とする。本形態の電気光学モジュール１０では、電気光学パネル４０およびフレーム６０に加えて、以下に説明する第１透光板５６、第２透光板５７、入射側の遮光板８０、放熱部材３０が用いられている。以下、図７を中心に参照して、電気光学モジュール１０の詳細構成を説明する。
【００５３】
（第１透光板５６および第２透光板５７の構成）
図４（ｂ）および図７等に示すように、本形態では、電気光学パネル４０を用いて電気光学モジュール１０を構成するにあたって、第１基板５１の第２面５１ｂ（外面／第１基板５１の第２基板５２と反対側の面）には第１透光板５６（第１基板側透光板）が接着剤等により貼付され、第２基板５２の第２面５２ｂ（外面／第２基板５２の第１基板５１と反対側の面）には第２透光板５７（第２基板側透光板）が接着剤等により貼付されている。第１透光板５６および第２透光板５７は各々、防塵ガラスとして構成されており、塵等が第１基板５１の外面（第２面５１ｂ）および第２基板５２の外面（第２面５２ｂ）に付着するのを防止する。このため、電気光学パネル４０に塵が付着したとしても、塵は電気光学物質層４５０から離間している。従って、図１等を参照して説明した投射型表示装置１においては、塵がデフォーカス状態にあるため、投射された画像に塵が像として写し出されることを抑制することができる。第１透光板５６および第２透光板５７には石英や耐熱ガラス等が用いられている。本形態において、第１透光板５６および第２透光板５７には、第１基板５１および第２基板５２と同様、石英が用いられており、その厚さは１．１〜１．２ｍｍである。
【００５４】
ここで、第１透光板５６は、第１基板５１の第２面５１ｂの一部を露出させた状態で電気光学パネル４０の少なくとも画像表示領域４０ａに重なるように設けられている。より具体的には、第１透光板５６は、第１基板５１よりサイズが小さい四角形状であり、第１透光板５６の側面５６１、５６２、５６３、５６４は各々、平面視で、第１透光板５６の全周において第１基板５１の側面５１１、５１２、５１３、５１４より内側に位置している。このため、第１透光板５６の側面５６１、５６２、５６３、５６４は各々、平面視で第１基板５１の側面５１１、５１２、５１３、５１４と画像表示領域４０ａの端部との間に位置し、第１透光板５６の周りには、第１透光板５６の側面５６１、５６２、５６３、５６４と第１基板５１の第２面５１ｂとによって段部４０ｅ〜４０ｈが構成されている。それ故、第１基板５１の第２面５１ｂには、第１透光板５６を全周で囲むように、第１透光板５６からの張出面５５が形成されている。かかる張出面５５のうち、側面５１４（突出部５１５）が位置する側の張出面５５ａを第１張出面とし、張出面５５ａに対して第１透光板５６を挟んだ反対側（側面５１３が位置する側）の張出面５５ｂを第２張出面とする。また、張出面５５ａと張出面５５ｂとの間に位置する張出面５５ｃ、５５ｄ（側面５１１、５１２が位置する側の張出面５５）を第３張出面とする。
【００５５】
第２透光板５７は、第２基板５２の第２面５２ｂの一部を露出させた状態で電気光学パネル４０の少なくとも画像表示領域４０ａに重なるように設けられている。より具体的には、第２透光板５７は、第１透光板５６とサイズが略同一の四角形であり、第２基板５２よりはサイズが小さい。このため、第２透光板５７の側面５７１、５７２、５７３、５７４は各々、第２透光板５７の全周において第２基板５２の側面５２１、５２２、５２３、５２４より内側に位置し、第２基板５２の側面５２１、５２２、５２３、５２４と画像表示領域４０ａの端部との間に位置している。従って、第２透光板５７の周りには、第２透光板５７の側面５７１、５７２、５７３、５７４と第２基板５２の第２面５２ｂとによって段部が構成されている。また、第２基板５２の第２面５２ｂには、第２透光板５７を全周で囲むように、第２透光板５７からの張出面が形成されている。
【００５６】
（フレーム６０の構成）
本形態において、フレーム６０は、中央に矩形の開口部６８を備えた矩形枠状の樹脂製部材あるいは金属製部材であり、平面視で、第１透光板５６、電気光学パネル４０および第２透光板５７の周りを囲む４つの枠部６１、６２、６３、６４を備えている。枠部６１、６２、６３、６４において、隣り合う枠部同士の連結部（角部分）は、角柱状の連結部６５１、６５２、６５３、６５４になっている。フレーム６０は、第１基板５１、第２基板５２、第１透光板５６および第２透光板５７より熱伝導率が高い。例えば、フレーム６０は、樹脂製部材の表面に金属層を設けた成形品や、アルミニウム、銅、鉄等の金属製部材である。本形態において、フレーム６０は、アルミニウム等からなる金属製部材である。
【００５７】
フレーム６０において、枠部６１は、第１透光板５６の側面５６１、電気光学パネル４０の側面、および第２透光板５７の側面５７１に対向し、枠部６２は、第１透光板５６の側面５６２、電気光学パネル４０の側面、および第２透光板５７の側面５７２に対向し、枠部６３は、第１透光板５６の側面５６３、電気光学パネル４０の側面、および第２透光板５７の側面５７３に対向している。これに対して、枠部６４は、第１基板５１の張出部５１５に対してＺ軸方向の他方側Ｚ２で張出部５１５に沿って延在する平板状に形成されており、電気光学パネル４０にＹ軸方向の一方側で対向する構成になっていない。従って、フレーム６０は、枠部６１、６２、６３によって第１透光板５６、電気光学パネル４０および第２透光板５７を内側に収容している。また、枠部６４は、第１基板５１の張出部５１５に沿って延在する平板状に形成されているため、フレキシブル配線基板４０ｉを電気光学パネル４０の面内方向に沿ってＹ軸方向の一方側に向けて延在するようにフレーム６０の外側に引き出すことができる。
【００５８】
４つの枠部６１、６２、６３、６４の内側面には、第１基板５１の第１透光板５６からの張出面５５、および第１透光板５６の側面５６１、５６２、５６３、５６４に沿って屈曲する出隅状の角部６１０、６２０、６３０、６４０が形成されている。このため、フレーム６０は、角部６１０、６２０、６３０、６４０によって、第１基板５１の第１透光板５６からの張出面５５、および第１透光板５６の側面５６１、５６２、５６３、５６４に対向している。また、枠部６１、６２、６３の内側面は、角部６１０、６２０、６３０を形成する部分が内側に突出し、かかる突出部分からＺ軸方向の一方側Ｚ１に向けては直線状に延在している。このため、電気光学モジュール１０を組み立てる際、フレーム６０のＺ軸方向の一方側Ｚ１から、第１透光板５６側を先行させるようにして電気光学パネル４０をフレーム６０の内側に設けることができる。なお、枠部６３のＺ軸方向の一方側Ｚ１において、Ｙ軸方向の他方側Ｙ２の端部はテーパー面６３７になっており、矢印Ａで示すように、図１に示す吸気ファン１５Ｂ等によって電気光学モジュール１０に冷却空気を供給した際、電気光学モジュール１０のＺ軸方向の一方側Ｚ１に冷却空気が効率よく導かれる。また、電気光学モジュール１０に冷却空気を供給した際、冷却空気は、電気光学モジュール１０のＺ軸方向の他方側Ｚ２にも導かれる。
【００５９】
本形態において、張出面５５の幅寸法、および張出面５５とフレーム６０との重なり面積は、以下の関係
張出面５５ｃ、５５ｄ≒張出面５５ｂ＜張出面５５ａ
になっている。すなわち、第１基板５１において、フレキシブル配線基板４０ｉが接続された張出部５１５が位置する張出面５５ａ（第１張出面）の側では、第１透光板５６を挟んで張出面５５ａとは反対側に位置する張出面５５ｂ（第２張出面）よりフレーム６０との重なり幅が大である。
【００６０】
また、フレーム６０には、枠部６１、６２、６３、６４のＺ軸方向の他方側Ｚ２の端部から内側に板状遮光部６７が突出しており、かかる板状遮光部６７は、第１透光板５６において電気光学パネル４０が位置する側とは反対側の面に重なっている。また、板状遮光部６７には、電気光学パネル４０の画像表示領域４０ａと重なる領域に開口部６７０が形成されており、板状遮光部６７は、電気光学パネル４０に対する出射側の見切り部として機能する。ここで、板状遮光部６７の厚さ寸法は、枠部６１、６２、６３、６４の厚さ寸法（Ｚ軸方向の寸法）に比してかなり小である。なお、フレーム６０において、Ｚ軸方向の他方側Ｚ２に向く面には塗装等により黒色化処理が施されている。
【００６１】
（入射側の遮光板８０の構成）
フレーム６０に対して光入射側（Ｚ軸方向の一方側Ｚ１）には、金属板あるいは樹脂板からなる板状の遮光板８０が重ねて配置されている。本形態において、遮光板８０は金属製である。遮光板８０は、フレーム６０に対して光入射側で重なる四角形の端板部８７を備えており、端板部８７には、電気光学パネル４０の画像表示領域４０ａに重なる開口部８８が形成されている。開口部８８は、フレーム６０の開口部６８に比して小さく、端板部８７は、開口部６８の全周において開口部６８の内側に張り出している。このため、遮光板８０の端板部８７は、電気光学パネル４０に光が入射する範囲を制限する見切り部として機能する。
【００６２】
遮光板８０は、端板部８７の外縁から延在する側板部８１、８２、８３、８４を備えている。これらの側板部８１、８２、８３、８４のうち、Ｘ軸方向の両側に位置する側板部８１、８２は、枠部６１、６２の外側面に重なるように端板部８７の端部からＺ軸方向の他方側Ｚ２に向けて略直角に屈曲している。本形態において、側板部８１、８２は、Ｙ軸方向で離間する２個所に設けられており、かかる２枚の側板部８１、８２の各々に係合穴８１０、８２０が形成されている。一方、フレーム６０の枠部６１、６２の外側面には、係合穴８１０、８２０の各々に嵌る突部６１７、６２７が形成されている。従って、遮光板８０は、フレーム６０を両側から挟むように設けられた側板部８１、８２がフレーム６０の外側面に係合することによってフレーム６０に結合され、フレーム６０と一体化している。この状態で、フレーム６０の内側には、遮光板８０の端板部８７を底部とするパネル収容部が構成され、かかるパネル収容部に、第１透光板５６および第２透光板５７が貼付された電気光学パネル４０が収容される。ここで、枠部６１、６２の外側面には、突部６１７、６２７の側方に突部６１９、６２９が形成されており、かかる突部６１９、６２９は、側板部８１、８２を位置決め用である。
【００６３】
なお、本形態では、第２透光板５７において端板部８７と重なる領域に遮光層５７９を設け、かかる遮光層５７９および遮光板８０によって、入射側の見切りを行っている。本形態において、遮光層５７９は、第２透光板５７の側からクロム層（金属層／光反射層）および酸化クロム層（金属化合物層／光吸収層）が積層されてなる。
【００６４】
（放熱部材３０の構成）
本形態では、電気光学パネル４０（第１基板５１および第２基板５２）からフレーム６０への放熱性を高めることを目的に、フレーム６０の内側には、電気光学パネル４０および第２透光板５７の周りに矩形枠状の放熱部材３０が配置されており、かかる放熱部材３０は、遮光板８０の電気光学パネル４０が位置する側の面に重なっている。本形態において、放熱部材３０は、アルミニウム、銅、鉄等の金属製部材であり、第１基板５１や第２基板５２より熱伝導率が高い。
【００６５】
ここで、放熱部材３０は、電気光学パネル４０とフレーム６０の枠部６１との間に位置する枠部３１と、電気光学パネル４０とフレーム６０の枠部６２との間に位置する枠部３２と、電気光学パネル４０とフレーム６０の枠部６３との間に位置する枠部３３とを備えている。ここで、Ｙ軸方向の一方側Ｙ１では、フレーム６０の枠部６４が電気光学パネル４０にＹ軸方向の一方側で対向する構成になっておらず、電気光学パネル４０とフレーム６０の枠部６４との間には放熱部材３０が配置されていない。但し、放熱部材３０には、第１基板５１の張出部５１５にＺ軸方向の一方側Ｚ１で対向する枠部３４が形成されており、かかる枠部３４は、第２基板５２の側面５２４にＹ軸方向の一方側Ｙ１で対向している。従って、放熱部材３０は、枠部３４と、枠部３４の一方端側から第２基板５２の側面５２１とフレーム６０との間で延在する枠部３１と、枠部３４の一方端側から第２基板５２の側面５２２とフレーム６０との間で延在する枠部３２と、枠部３４と対向する位置で第２基板５２とフレーム６０との間で延在する枠部３３とを備えている。本形態では、放熱部材３０を平面視したとき、枠部３４の幅寸法は、枠部３１、３２の幅寸法より大である。
【００６６】
なお、本発明における「放熱部材の第１枠部、第２枠部、第３枠部および第４枠部」と、放熱部材３０の枠部３１、３２、３３、３４は、以下の関係
放熱部材の第１枠部＝放熱部材３０の枠部３４
放熱部材の第２枠部＝放熱部材３０の枠部３１
放熱部材の第３枠部＝放熱部材３０の枠部３２
放熱部材の第３枠部＝放熱部材３０の枠部３２
にある。
【００６７】
かかる放熱部材３０において、フレーム６０の枠部６１、６２、６３に対向する枠部３１、３２、３３の外側面はＺ軸方向に直線状に延在している。これに対して、枠部３１、３２、３３の内側面は、電気光学パネル４０および第２透光板５７の外形形状に沿って屈曲した多段形状になっている。このため、枠部３１、３２、３３の内側面は、第１基板５１の側面５１１、５１２、５１３、第１基板５１の第１面５１ａの第２基板５２からの張出面、第２基板５２の側面５２１、５２２、５２３、第２基板５２の第２面５１ｂの第２透光板５７からの張出面、および第２透光板５７の側面５７１、５７２、５７３に対向している。また、枠部３１、３２、３３のＺ軸方向の他方側Ｚ２の端部はフレーム６０の角部６１０、６２０、６３０付近に対向し、枠部３１、３２、３３のＺ軸方向の一方側Ｚ１の端部は遮光板８０に対向している。かかる枠部３１、３２、３３と、フレーム６０、電気光学パネル４０および第２透光板５７との間には接着剤Ｐが介在している。
【００６８】
また、枠部３４の内側面は、第２基板５２および第２透光板５７の外形形状に沿って屈曲した段形状になっている。このため、枠部３４の内側面は、第２基板５２の側面５２４、第２基板５２の第２面５２ｂの第２透光板５７からの張出面、および第２透光板５７の側面５７４に対向している。また、枠部３４のＺ軸方向の他方側Ｚ２の端面は、第１基板５１の第１面５１ａ（張出部５１５）に隙間（空気層）を介して対向し、枠部３４のＺ軸方向の一方側Ｚ１の端部は遮光板８０に対向している。かかる枠部３４と、第２基板５２および第２透光板５７との間には接着剤Ｐが介在している。
【００６９】
なお、本形態では、フレキシブル配線基板４０ｉと放熱部材３０の枠部３４とが対向し、張出部５１５においてフレキシブル配線基板４０ｉから露出している部分と放熱部材３０の枠部３４とが対向している。このため、フレキシブル配線基板４０ｉを放熱部材３０と反対側に湾曲させた構成や、フレキシブル配線基板４０ｉと放熱部材３０の枠部３４との間にコーティング層等の絶縁材を配置して、フレキシブル配線基板４０ｉと放熱部材３０との短絡を防止することが好ましい。また、張出部５１５においてフレキシブル配線基板４０ｉから露出している部分と放熱部材３０の枠部３４との間にコーティング層等の絶縁材を配置して、張出部５１５に形成されている配線等の導電層との短絡を防止することが好ましい。
【００７０】
（接着剤による固定構造）
このように構成した電気光学モジュール１０において、第１透光板５６とフレーム６０との間、電気光学パネル４０とフレーム６０との間、電気光学パネル４０と放熱部材３０との間、第２透光板５７と放熱部材３０との間、放熱部材３０とフレーム６０との間には接着剤Ｐが介在しており、空気層が介在していない。但し、電気光学パネル４０の第１基板５１の張出部５１５と放熱部材３０との間や、フレキシブル配線基板４０ｉと放熱部材３０との間には接着剤Ｐが介在しておらず、空気層が介在している。
【００７１】
（電気光学モジュール１０の製造方法）
図５〜図８を参照して説明した電気光学モジュール１０の製造工程では、まず、電気光学パネル４０の両面に第１透光板５６の全面、および第２透光板５７の全面を接着剤により貼付する。
【００７２】
次に、フレーム６０のＺ軸方向の一方側Ｚ１から、第１透光板５６側を先行させるようにして電気光学パネル４０をフレーム６０の内側に設ける。その結果、第１透光板５６は板状遮光部６７に当接し、第１基板５１の張出面５５は、フレーム６０の角部６１０、６２０、６３０、６４０に当接し、第１透光板５６および電気光学パネル４０のＺ軸方向の位置決めが行われる。また、第１透光板５６の側面５６１、５６２、５６３、５６４が角部６１０、６２０、６３０、６４０に当接し、第１透光板５６および電気光学パネル４０のＸ軸方向およびＹ軸方向の位置決めが行われる。その際、予め、フレーム６０の内側、電気光学パネル４０の周り、および第２透光板５７の周りに接着剤Ｐを塗布しておく。
【００７３】
次に、電気光学パネル４０および第２透光板５７とフレーム６０との間に放熱部材３０を挿入した後、遮光板８０をフレーム６０と結合させ、この状態で、接着剤Ｐを硬化させる。
【００７４】
なお、遮光板８０と放熱部材３０とを接合しておき、フレーム６０の内側に第１透光板５６、電気光学パネル４０および第２透光板５７を収容した後、放熱部材３０を接合した遮光板８０をフレーム６０と結合させ、しかる後に、接着剤Ｐを硬化させてもよい。
【００７５】
また、電気光学パネル４０の第２基板５２に第２透光板５７を貼付する際、放熱部材３０を第２透光板５７の位置決めに用いてもよい。より具体的には、電気光学パネル４０の第１基板５１に第１透光板５６を貼付した後、第１透光板５６を貼付した電気光学パネル４０を放熱部材３０の内側に収容する。その際、放熱部材３０の内側に接着剤Ｐを塗布しておく。次に、放熱部材３０の開口部３８から第２透光板５７を挿入し、第２透光板５７を放熱部材３０によって位置決め状態で、第２透光板５７と電気光学パネル４０の第２基板５２とを接着剤を介して重なる。次に、第１透光板５６、電気光学パネル４０および第２透光板５７を内側に保持した放熱部材３０をフレーム６０の内側に収容する。その際、フレーム６０の内側に接着剤Ｐを塗布しておく。しかる後に、遮光板８０をフレーム６０と結合させ、この状態で、接着剤Ｐを硬化させる。
【００７６】
また、第１透光板５６を貼付した電気光学パネル４０、および放熱部材３０をフレーム６０の内側に収容した後、放熱部材３０を第２透光板５７の位置決めに用いてもよい。より具体的には、第１透光板５６を貼付した電気光学パネル４０、および放熱部材３０をフレーム６０の内側に収容した後、放熱部材３０の開口部３８から第２透光板５７を挿入し、第２透光板５７を放熱部材３０によって位置決め状態で、第２透光板５７と電気光学パネル４０の第２基板５２とを接着剤を介して重なる。しかる後に、遮光板８０をフレーム６０と結合させ、この状態で、接着剤Ｐを硬化させる。
【００７７】
（本形態の主な効果）
以上説明したように、本形態の電気光学モジュール１０において、フレーム６０は、第２基板５２の側面５２１、５２２、５２３の側で第１基板５１を囲んでいるが、第１基板５１の張出部５１５が位置する側の側面５１４や第２基板５２の側面５２４に対向する位置にはフレーム６０が存在しない。このため、張出部５１５に接続したフレキシブル配線基板４０ｉ等の配線材を外側に引き出す際にフレーム６０が邪魔にならない。
【００７８】
また、本形態では、フレーム６０と電気光学パネル４０との間に放熱部材３０が配置されており、かかる放熱部材３０は、第１基板５１の張出部５１５の第２基板５２側の面、第２基板５２の側面５２４、第２基板５２の第２透光板５７からの張出面、および第２透光板５７の側面５７４に対向する枠部３４（第１枠部）を有している。また、放熱部材３０は、枠部３４の一方端側から第２基板５２の側面５２１とフレーム６０との間に向けて延在する枠部３１（第２枠部）と、枠部３４の他方端側から第２基板５２の側面５２２とフレーム６０との間に向けて延在する枠部３２（第３枠部）とを備えている。このため、第１基板５１の張出部５１５が位置する側の側面５１４や第２基板５２の側面５２４に対向する位置にはフレーム６０が存在しないが、張出部５１５が位置する側では、電気光学パネル４０で発生した熱を、放熱部材３０の枠部３４を介して枠部３１、３２に逃がした後、さらにフレーム６０に逃がすことができる。それ故、電気光学モジュール１０を大型化しなくても、電気光学パネル４０全体の温度ばらつきや温度上昇を低く抑えることができるので、電気光学パネル４０の温度上昇に起因する電気光学物質層４５０の劣化を抑制することができる。
【００７９】
特に、フレーム６０として、樹脂製部材の表面に金属層を設けた成形品を用いた場合や、金属材料の種類によって、放熱部材３０がフレーム６０より熱伝導率が高い場合、電気光学パネル４０の熱を放熱部材３０に効率よく逃がすことができる。それ故、放熱部材３０を用いることによって、電気光学パネル４０全体の温度ばらつきや温度上昇を低く抑えることができる。また、フレーム６０として肉薄のものを用いた場合等、放熱部材３０がフレーム６０より熱容量が大きい場合や、フレーム６０に肉薄部分がある場合には、電気光学パネル４０の熱を放熱部材３０に効率よく逃がすことができるので、放熱部材３０を用いることによって、電気光学パネル４０全体の温度ばらつきや温度上昇を低く抑えることができる。
【００８０】
また、放熱部材３０の枠部６１、６２、６３（第２枠部、第３枠部および第４枠部）は各々、第１基板５１の側面５１１、５１２、５１３が位置する側の端部、第２基板５２の側面５２１、５２２、５２３が位置する側の端部、およびフレーム６０に対向している、このため、電気光学パネル４０の熱を、第１基板５１の側面５１１、５１２、５１３の側に位置する端部や、第２基板５２の側面５２１、５２２、５１３の側に位置する端部から放熱部材３０を介してフレーム６０に逃がすことができる。
【００８１】
また、電気光学パネル４０と放熱部材３０との間、第２透光板５７と放熱部材３０との間、放熱部材３０とフレーム６０との間には接着剤Ｐが介在しており、空気層が介在していない。従って、電気光学パネル４０の熱を、放熱部材３０を介してフレーム６０に効率よく逃がすことができる。
【００８２】
また、平面視において、枠部３４の幅寸法は、枠部３１、３２の幅寸法より大である。このため、電気光学パネル４０で発生した熱を、張出部５１５が位置する側から放熱部材３０に効率よく逃がすことができる。
【００８３】
また、本形態では、第１透光板５６は、第１基板５１の第２面５１ｂの一部を露出させるように設けられており、第１基板５１の第１透光板５６からの張出面５５、および第１透光板５６の側面５６１、５６２、５６３、５６４にはフレーム６０の角部６１０、６２０、６３０、６４０が対向している。また、第１基板５１の第１透光板５６からの張出面５５とフレーム６０の間、および第１基板５１の側面５１１、５１２、５１３とフレーム６０との間には接着剤Ｐが介在し、空気層が介在しない。それ故、電気光学パネル４０で発生した熱を、第１基板５１からフレーム６０に効率よく逃がすことができる。
【００８４】
また、第１透光板５６は、第１基板５１よりサイズが小さく、第１透光板５６を全周で囲むように、第１基板５１の張出面５５およびフレーム６０の角部６１０、６２０、６３０、６４０が設けられている。このため、第１基板５１の張出面５５とフレーム６０との重なり面積が広いので、電気光学パネル４０で発生した熱を、第１基板５１からフレーム６０に効率よく逃がすことができる。第１基板５１において、張出部５１５が位置する張出面５５ａの側では、第１透光板５６を挟んで張出面５５ａとは反対側に位置する第２張出面５５ｂよりフレーム６０との重なり幅が大であり、放熱性が高い。それ故、本形態によれば、張出部５１５が位置する側についても効率よく放熱できるので、温度上昇を低く抑えることができる。
【００８５】
さらに、フレーム６０は、第１基板５１および第２基板５２のうち、素子基板である第１基板５１の張出部分に重なっている。このため、電気光学パネル４０を光が透過する際、第２基板５２よりも第１基板５１での発熱が大きいが、本形態では、フレーム６０は、発熱が大きい素子基板（第１基板５１）の張出面５５に重なっているので、電気光学パネル４０で発生した熱を効率よく逃がすことができる。
【００８６】
また、本形態では、フレーム６０に板状遮光部６７を設けたので、第１透光板５６側に遮光板を配置する必要がない。また、板状遮光部６７の厚さ寸法は、枠部６１、６２、６３、６４の厚さ寸法（Ｚ軸方向の寸法）に比してかなり小である。このため、矢印Ａで示すように、図１に示す吸気ファン１５Ｂ等によって電気光学モジュール１０のＺ軸方向の他方側Ｚ２の面に沿って冷却空気の流れを形成した際、冷却空気は、板状遮光部６７の開口部６７０内にスムーズに入り込んでＹ軸方向の他方側Ｙ２から一方側Ｙ１に流れる。このため、電気光学パネル４０で発生した熱を、第１透光板５６を介して冷却空気に逃がすことができる。
【００８７】
［実施の形態１の変形例１］
図９は、本発明の実施の形態１の変形例１に係る電気光学モジュール１０の断面図であり、図９（ａ）、（ｂ）は、電気光学モジュールのＹＺ断面図、およびＸＺ断面図である。なお、本形態の基本的な構成は、実施の形態１と同様であるため、共通する部分には同一の符号を付してそれらの説明を省略する。
【００８８】
図９に示すように、本形態の電気光学モジュール１０でも、実施の形態１と同様、電気光学パネル４０とフレーム６０との間には放熱部材３０が配置されている。また、第１基板５１の第１透光板５６からの張出面５５、および第１透光板５６の側面５６１、５６２、５６３、５６４にはフレーム６０の角部６１０、６２０、６３０、６４０が対向している。
【００８９】
本形態では、実施の形態１と違って、第１透光板５６の電気光学パネル４０側の面に見切り用の遮光層５６９が形成されており、フレーム６０には、板状遮光部６７が形成されていない。このため、第１透光板５６が位置するＺ軸方向の他方側Ｚ２では、フレーム６０の端部６０ｓと、第１透光板５６の第１基板５１とは反対側の面とは同一の平面内に位置している。ここで、遮光層５６９は、第１透光板５６の側から酸化クロム層（金属化合物層／光吸収層）およびクロム層（金属層／光反射層）が積層されてなる。その他の構成は、実施の形態１と同様であるため、本形態は、実施の形態１と略同様な効果を奏する。
【００９０】
また、本形態では、第１透光板５６のＺ軸方向の他方側Ｚ２に、板状遮光部６７に起因する段差がない。従って、矢印Ａで示すように、図１に示す吸気ファン１５Ｂ等によって電気光学モジュール１０のＺ軸方向の他方側Ｚ２の面に沿って冷却空気の流れを形成した際、冷却空気は、第１透光板５６のＺ軸方向の他方側Ｚ２の面に沿ってＹ軸方向の他方側Ｙ２から一方側Ｙ１にスムーズに流れる。それ故、電気光学パネル４０で発生した熱を、第１透光板５６およびフレーム６０を介して冷却空気に逃がすことができる。
【００９１】
［実施の形態１の変形例２］
図１０は、本発明の実施の形態１の変形例２に係る電気光学モジュール１０の断面図であり、図１０（ａ）、（ｂ）は、電気光学モジュールのＹＺ断面図、およびＸＺ断面図である。なお、本形態の基本的な構成は、実施の形態１と同様であるため、共通する部分には同一の符号を付してそれらの説明を省略する。
【００９２】
図１０に示すように、本形態の電気光学モジュール１０でも、実施の形態１と同様、電気光学パネル４０とフレーム６０との間には放熱部材３０が配置されている。本形態では、第１透光板５６が第１基板５１よりサイズが大であり、第１透光板５６の第１基板５１側の面は、第１基板５１の全周にわたって第１基板５１から張り出した張出面を備えている。かかる構成に対応して、フレーム６０の内側面は、Ｚ軸方向の全体にわたって直線的に延在している。
【００９３】
かかる構成の電気光学モジュール１０において、本形態では、実施の形態１の変形例１と同様、第１透光板５６の電気光学パネル４０側の面に見切り用の遮光層５６９が形成されており、フレーム６０には、板状遮光部６７が形成されていない。このため、第１透光板５６が位置するＺ軸方向の他方側Ｚ２では、フレーム６０の端部６０ｓと、第１透光板５６の第１基板５１とは反対側の面とは同一の平面内に位置している。また、遮光層５６９は、第１透光板５６の外周縁まで形成されている。このため、遮光層５６９は、第１基板５１の全周にわたって第１基板５１から露出しており、放熱部材３０のＺ軸方向の他方側Ｚ２の端部と対向している。また、第１透光板５６とフレーム６０との間、第１透光板５６と放熱部材３０との間には接着剤Ｐが介在し、空気層が介在していない。その他の構成は、実施の形態１と同様であるため、本形態は、実施の形態１と略同様な効果を奏する。
【００９４】
また、本形態では、第１透光板５６のＺ軸方向の他方側Ｚ２に、板状遮光部６７に起因する段差がないので、実施の形態１と同様、冷却空気は、第１透光板５６のＺ軸方向の他方側Ｚ２の面に沿ってＹ軸方向の他方側Ｙ２から一方側Ｙ１にスムーズに流れる。それ故、電気光学パネル４０で発生した熱を、第１透光板５６およびフレーム６０を介して冷却空気に逃がすことができる。また、遮光層５６９は、第１基板５１や第２基板５２より熱伝導率が高く、かつ、放熱部材３０のＺ軸方向の他方側Ｚ２の端部と対向している。このため、電気光学パネル４０の熱や、光の吸収によって遮光層５６９発生した熱を、放熱部材３０を介してフレーム６０に効率よく逃がすことができる。
【００９５】
［実施の形態２］
図１１は、本発明の実施の形態２に係る電気光学モジュール１０の断面図であり、図１１（ａ）、（ｂ）は、電気光学モジュールのＹＺ断面図、およびＸＺ断面図である。なお、本形態の基本的な構成は、実施の形態１と同様であるため、共通する部分には同一の符号を付してそれらの説明を省略する。
【００９６】
図１１に示すように、本形態の電気光学モジュール１０でも、実施の形態１と同様、電気光学パネル４０とフレーム６０との間には放熱部材３０が配置されている。また、第１透光板５６は、第１基板５１よりサイズが小さく、第１基板５１の第１透光板５６側の面には、第１透光板５６の全周にわたって、第１透光板５６から張り出した張出面５５が形成されている。但し、フレーム６０の内側面は、Ｚ軸方向の全体にわたって直線的に延在しており、第１透光板５６の側面５６１、５６２、５６３、５６４とフレーム６０との間には広い隙間が空いている。
【００９７】
本形態では、第１透光板５６の側面５６１、５６２、５６３、５６４とフレーム６０との間に形成されている隙間には矩形枠状のプレート７０が配置されている。プレート７０は、アルミニウム、銅、鉄等の金属製部材であり、第１基板５１および第２基板５２より熱伝導率が高い。
【００９８】
かかるプレート７０において、第１透光板５６の側面５６１とフレーム６０との間に位置する枠部７１は、第１透光板５６の側面５６１、フレーム６０の枠部６１、第１基板５１の張出面５５ｃ、および放熱部材３０のＺ軸方向の他方側Ｚ２の端部と対向している。第１透光板５６の側面５６２とフレーム６０との間に位置するプレート７０の枠部７２は、第１透光板５６の側面５６２、フレーム６０の枠部６２、第１基板５１の張出面５５ｄ、および放熱部材３０のＺ軸方向の他方側Ｚ２の端部と対向している。第１透光板５６の側面５６３とフレーム６０との間に位置するプレート７０の枠部７３は、第１透光板５６の側面５６３、フレーム６０の枠部６３、第１基板５１の張出面５５ｂ、および放熱部材３０のＺ軸方向の他方側Ｚ２の端部と対向している。第１透光板５６の側面５６４とフレーム６０との間に位置するプレート７０の枠部７４は、第１透光板５６の側面５７４、フレーム６０の枠部６４、第１基板５１の張出面５５ａ、および放熱部材３０のＺ軸方向の他方側Ｚ２の端部と対向している。本形態において、プレート７０を平面視したとき、枠部７４は、他の枠部７１、７２、７３、７４より幅寸法が大である。その他の構成は、実施の形態１と同様であるため、本形態は、実施の形態１と同様な効果を奏する。
【００９９】
また、本形態では、第１透光板５６とフレーム６０との間に配置したプレート７０は、第１透光板５６の側面５６１、５６２、５６３、５６４、フレーム６０の枠部６１、６２、６３、６４、第１基板５１の張出面５５、および放熱部材３０のＺ軸方向の他方側Ｚ２の端部に対向している。また、プレート７０と第１透光板５６との間、プレート７０とフレーム６０との間、およびプレート７０と放熱部材３０との間には接着剤Ｐが介在し、空気層が介在していない。それ故、電気光学パネル４０で発生した熱を、プレート７０および放熱部材３０を介してフレーム６０に効率よく逃がすことができる。特に、フレーム６０として、樹脂製部材の表面に金属層を設けた成形品を用いた場合や、金属材料の種類によって、プレート７０がフレーム６０より熱伝導率が高い場合、電気光学パネル４０の熱をプレート７０に効率よく逃がすことができる。それ故、プレート７０を用いることによって、電気光学パネル４０全体の温度ばらつきや温度上昇を低く抑えることができる。また、フレーム６０として肉薄のものを用いた場合等、プレート７０がフレーム６０より熱容量が大きい場合や、フレーム６０に肉薄部分がある場合には、電気光学パネル４０の熱をプレート７０に効率よく逃がすことができるので、プレート７０を用いることによって、電気光学パネル４０全体の温度ばらつきや温度上昇を低く抑えることができる。
【０１００】
なお、本形態の電気光学モジュール１０の製造工程では、フレーム６０にプレート７０を接着固定した後、実施の形態１と同様な方法で組み立てを行う。
【０１０１】
［実施の形態２の変形例１］
上記の実施の形態２で説明した電気光学モジュール１０において、実施の形態１の変形例１で説明したように、第１透光板５６の電気光学パネル４０側の面に見切り用の遮光層５６９を形成し、第１透光板５６側に板状遮光部６７を設けない構成を採用してもよい。かかる構成によれば、第１透光板５６のＺ軸方向の他方側Ｚ２には、板状遮光部６７に起因する段差がないので、冷却空気は、Ｙ軸方向の他方側Ｙ２から一方側Ｙ１にスムーズに流れる。
【０１０２】
［実施の形態２の変形例２］
上記の実施の形態２で説明した電気光学モジュール１０において、実施の形態１の変形例２で説明したように、第１透光板５６を第１基板５１よりサイズを大きくするとともに、電気光学パネル４０側の面に見切り用の遮光層５６９を形成し、第１透光板５６側に板状遮光部６７を設けない構成を採用してもよい。かかる構成によれば、第１透光板５６のＺ軸方向の他方側Ｚ２には、板状遮光部６７に起因する段差がないので、冷却空気は、Ｙ軸方向の他方側Ｙ２から一方側Ｙ１にスムーズに流れる。
【０１０３】
［実施の形態３］
図１２は、本発明の実施の形態３に係る電気光学モジュール１０の断面図であり、図１２（ａ）、（ｂ）は、電気光学モジュールのＹＺ断面図、およびＸＺ断面図である。なお、本形態の基本的な構成は、実施の形態１と同様であるため、共通する部分には同一の符号を付してそれらの説明を省略する。
【０１０４】
図１２に示すように、本形態の電気光学モジュール１０でも、実施の形態１と同様、電気光学パネル４０とフレーム６０との間には放熱部材３０が配置されている。また、第１基板５１の第１透光板５６からの張出面５５、および第１透光板５６の側面５６１、５６２、５６３、５６４にはフレーム６０の角部６１０、６２０、６３０、６４０が対向している。
【０１０５】
本形態において、第２透光板５７は、第２基板５２よりサイズが大きな四角形状であり、第２透光板５７の第２基板５２側の面には、第２基板５２を全周で囲むように、第２基板５２からの張出面５７０が形成されている。このため、第２透光板５７に対してＺ軸方向の他方側Ｚ２に放熱部材３０が位置しており、放熱部材３０は、第２透光板５７の第２基板５２側の面において第２基板５２からの張出面５７０に重なっている。従って、放熱部材３０の枠部３１、３２、３３の内側面は、第１基板５１の側面５１１、５１２、５１３、第１基板５１の第１面５１ａの第２基板５２からの張出面、第２基板５２の側面５２１、５２２、５２３に対向し、放熱部材３０の枠部３４は、内側面が第２基板５２の側面５２４に対向する平板状に形成されている。
【０１０６】
また、第２透光板５７の第２基板５２側の面において、遮光層５７９は、第２透光板５７の縁まで形成されており、第２基板５２からの張出面５７０全体に遮光層５７９が形成されている。このため、放熱部材３０のＺ軸方向の一方側Ｚ１の端部は、遮光層５７９に重なっており、遮光層５７９と放熱部材３０との間には接着剤Ｐが介在している。本形態において、遮光層５７９は、Ｙ軸方向の一方側Ｙ１に形成されている部分の幅寸法が、他の個所に形成されている部分より幅が広い。従って、放熱部材３０の枠部３４と遮光層５７９との重なり幅は、放熱部材３０の枠部３１、３２、３３と遮光層５７９との重なり幅より大である。
【０１０７】
かかる構成に対応して、フレーム６０の枠部６１、６２、６３には、第２透光板５７の側面５７１、５７２、５７３、および第２透光板５７の第２基板５２からの張出面５７０に沿って屈曲する入隅状の角部６１８、６２８、６３８が形成されている。このため、フレーム６０は、角部６１８、６２８、６３８によって、第２透光板５７の側面５７１、５７２、５７３、および第２透光板５７の第２基板５２からの張出面５７０に対向している。また、フレーム６０と第２透光板５７の側面５７１、５７２、５７３、５７４との間、およびフレーム６０と第２透光板５７の第２基板５２からの張出面５７０の間には接着剤Ｐが介在しており、空気層が介在していない。また、枠部３１、３２、３３の内側面は、第１透光板５６および放熱部材３０に起因する段部に沿って屈曲した段部が形成されている。その他の構成は、実施の形態１と同様であるため、本形態は、実施の形態１と略同様な効果を奏する。
【０１０８】
また、本形態では、放熱部材３０のＺ軸方向の一方側Ｚ１の端部は、遮光層５７９に重なっており、遮光層５７９と放熱部材３０との間には接着剤Ｐが介在している。このため、電気光学パネル４０の熱を、遮光層５７９を介して放熱部材３０に逃がすことができる。また、光の吸収によって発生した遮光層５７９の熱を、遮光層５７９を介して放熱部材３０に逃がすことができる。
【０１０９】
［実施の形態３の変形例１］
図１３は、本発明の実施の形態３の変形例１に係る電気光学モジュール１０の断面図であり、図１３（ａ）、（ｂ）は、電気光学モジュールのＹＺ断面図、およびＸＺ断面図である。なお、本形態の基本的な構成は、実施の形態１と同様であるため、共通する部分には同一の符号を付してそれらの説明を省略する。
【０１１０】
図１３に示すように、本形態の電気光学モジュール１０でも、実施の形態１と同様、電気光学パネル４０とフレーム６０との間には放熱部材３０が配置されている。また、第１基板５１の第１透光板５６からの張出面５５、および第１透光板５６の側面５６１、５６２、５６３、５６４にはフレーム６０の角部６１０、６２０、６３０、６４０が対向している。また、第２透光板５７は、第２基板５２よりサイズが大きな四角形状であり、遮光層５７９は、第２透光板５７の縁まで形成されている。従って、本形態では、遮光板８０が用いられておらず、遮光層５７９のみによって、入射側の見切りが構成されている。このため、第２透光板５７が位置するＺ軸方向の一方側Ｚ１では、フレーム６０の端部６０ｔと、第２透光板５７の第２基板５２とは反対側の面とは同一の平面内に位置している。その他の構成は、実施の形態１、３と同様であるため、本形態は、実施の形態１、３と略同様な効果を奏する。
【０１１１】
また、本形態では、第２透光板５７のＺ軸方向の一方側Ｚ１には、遮光板８０に起因する段差がない。従って、矢印Ａで示すように、図１に示す吸気ファン１５Ｂ等によって電気光学モジュール１０のＺ軸方向の他方側Ｚ２の面に沿って冷却空気の流れを形成した際、冷却空気は、第２透光板５７のＺ軸方向の一方側Ｚ１の面に沿ってＹ軸方向の他方側Ｙ２から一方側Ｙ１にスムーズに流れる。それ故、電気光学パネル４０で発生した熱を、第２透光板５７およびフレーム６０を介して冷却空気に逃がすことができる。なお、本形態で説明した構成は、実施の形態１、２等に適用してもよい。
【０１１２】
［実施の形態３の変形例２］
上記の実施の形態３および実施の形態３の変形例１で説明した電気光学モジュール１０において、実施の形態１の変形例１で説明したように、第１透光板５６の電気光学パネル４０側の面に見切り用の遮光層５６９を形成し、第１透光板５６側に板状遮光部６７を設けない構成を採用してもよい。かかる構成によれば、第１透光板５６のＺ軸方向の他方側Ｚ２には、板状遮光部６７に起因する段差がないので、冷却空気は、Ｙ軸方向の他方側Ｙ２から一方側Ｙ１にスムーズに流れる。
【０１１３】
［実施の形態３の変形例３］
上記の実施の形態３および実施の形態３の変形例１で説明した電気光学モジュール１０において、実施の形態１の変形例２で説明したように、第１透光板５６を第１基板５１よりサイズを大きくするとともに、電気光学パネル４０側の面に見切り用の遮光層５６９を形成し、第１透光板５６側に板状遮光部６７を設けない構成を採用してもよい。かかる構成によれば、第１透光板５６のＺ軸方向の他方側Ｚ２には、板状遮光部６７に起因する段差がないので、冷却空気は、Ｙ軸方向の他方側Ｙ２から一方側Ｙ１にスムーズに流れる。
【０１１４】
［実施の形態４］
図１４は、本発明の実施の形態４に係る電気光学モジュール１０の断面図であり、図１４（ａ）、（ｂ）は、電気光学モジュールのＹＺ断面図、およびＸＺ断面図である。なお、本形態の基本的な構成は、実施の形態１と同様であるため、共通する部分には同一の符号を付してそれらの説明を省略する。
【０１１５】
図１４に示すように、本形態の電気光学モジュール１０でも、実施の形態１と同様、電気光学パネル４０とフレーム６０との間には放熱部材３０が配置されている。また、実施の形態３と同様、第２透光板５７は、第２基板５２よりサイズが大きな四角形状であり、遮光層５７９は、第２透光板５７の縁まで形成されており、放熱部材３０のＺ軸方向の一方側Ｚ１の端部は遮光層５７９と対向している。また、実施の形態１と同様、第１透光板５６は、第１基板５１よりサイズが小さく、第１基板５１の第１透光板５６側の面には、第１透光板５６の全周にわたって、第１透光板５６から張り出した張出面５５が形成されている。
【０１１６】
本形態では、実施の形態２と同様、フレーム６０の内側面は、第２基板５２の側面５２１、５２２、５２３と対向する位置からＺ軸方向の他方側Ｚ２に向かって直線的に延在しており、第１透光板５６の側面５６１、５６２、５６３、５６４とフレーム６０との間には広い隙間が空いている。そこで、第１透光板５６の側面５６１、５６２、５６３、５６４とフレーム６０との間に形成されている隙間には矩形枠状のプレート７０が配置されており、電気光学パネル４０の熱をプレート７０および放熱部材３０を介してフレーム６０に逃がすようになっている。
【０１１７】
［実施の形態４の変形例１］
上記の実施の形態４で説明した電気光学モジュール１０において、実施の形態３の変形例１で説明したように、遮光板８０を用いない構成を採用することにより、冷却空気が第２透光板５７のＺ軸方向の一方側Ｚ１の面に沿ってＹ軸方向の他方側Ｙ２から一方側Ｙ１にスムーズに流れるようにしてもよい。
【０１１８】
［実施の形態４の変形例２］
上記の実施の形態４および実施の形態４の変形例１で説明した電気光学モジュール１０において、実施の形態１の変形例１で説明したように、第１透光板５６の電気光学パネル４０側の面に見切り用の遮光層５６９を形成し、第１透光板５６側に板状遮光部６７を設けない構成を採用してもよい。かかる構成によれば、第１透光板５６のＺ軸方向の他方側Ｚ２には、板状遮光部６７に起因する段差がないので、冷却空気は、Ｙ軸方向の他方側Ｙ２から一方側Ｙ１にスムーズに流れる。
【０１１９】
［実施の形態４の変形例３］
上記の実施の形態４および実施の形態４の変形例１で説明した電気光学モジュール１０において、実施の形態１の変形例２で説明したように、第１透光板５６を第１基板５１よりサイズを大きくするとともに、電気光学パネル４０側の面に見切り用の遮光層５６９を形成し、第１透光板５６側に板状遮光部６７を設けない構成を採用してもよい。かかる構成によれば、第１透光板５６のＺ軸方向の他方側Ｚ２には、板状遮光部６７に起因する段差がないので、冷却空気は、Ｙ軸方向の他方側Ｙ２から一方側Ｙ１にスムーズに流れる。
【０１２０】
［実施の形態５］
図１５は、本発明の実施の形態５に係る電気光学モジュール１０の断面図であり、図１５（ａ）、（ｂ）は、電気光学モジュールのＹＺ断面図、およびＸＺ断面図である。なお、本形態の基本的な構成は、実施の形態１と同様であるため、共通する部分には同一の符号を付してそれらの説明を省略する。
【０１２１】
図１５に示すように、本形態の電気光学モジュール１０でも、実施の形態１と同様、電気光学パネル４０とフレーム６０との間には放熱部材３０が配置されている。また、第１基板５１の第１透光板５６からの張出面５５、および第１透光板５６の側面５６１、５６２、５６３、５６４にはフレーム６０の角部６１０、６２０、６３０、６４０が対向している。
【０１２２】
本形態では、フレーム６０が、電気光学モジュール１０のＺ軸方向の他方側Ｚ２に相当する部分のみに配置され、電気光学モジュール１０のＺ軸方向の一方側Ｚ１に相当する部分には放熱部材３０が配置されている。
【０１２３】
より具体的には、放熱部材３０は、フレーム６０の枠部６１の内側で枠部６１にＺ軸方向の一方側Ｚ１で重なる枠部３１と、フレーム６０の枠部６２の内側で枠部６２にＺ軸方向の一方側Ｚ１で重なる枠部３２と、フレーム６０の枠部６３の内側で枠部６３にＺ軸方向の一方側Ｚ１で重なる枠部３３とを備えており、枠部３１、３２、３３は、フレーム６０に対してＺ軸方向の一方側Ｚ１で露出した状態にある。このため、枠部３３のＺ軸方向の一方側Ｚ１において、Ｙ軸方向の他方側Ｙ２の端部には、枠部６３のテーパー面６３７と連続したテーパー面を構成するテーパー面３３７が形成されている。従って、図１に示す吸気ファン１５Ｂ等によって電気光学モジュール１０に冷却空気を供給した際、電気光学モジュール１０のＺ軸方向の一方側Ｚ１に冷却空気が効率よく導かれる。
【０１２４】
また、枠部３１、３２、３３の内側面は、電気光学パネル４０および第２透光板５７の外形形状に沿って屈曲した多段形状になっている。このため、枠部３１、３２、３３の内側面は、第１基板５１の側面５１１、５１２、５１３、第１基板５１の第１面５１ａの第２基板５２からの張出面、第２基板５２の側面５２１、５２２、５２３、第２基板５２の第２面５１ｂの第２透光板５７からの張出面、および第２透光板５７の側面５７１、５７２、５７３に対向している。かかる枠部３１、３２、３３と、フレーム６０、電気光学パネル４０および第２透光板５７との間には接着剤Ｐが介在している。また、枠部３４の内側面は、第２基板５２および第２透光板５７の外形形状に沿って屈曲した段形状になっている。このため、枠部３４の内側面は、第２基板５２の側面５２４、第２基板５２の第２面５１ｂの第２透光板５７からの張出面、および第２透光板５７の側面５７４に対向している。かかる枠部３４と、第２基板５２および第２透光板５７との間には接着剤Ｐが介在している。また、枠部３４のＺ軸方向の他方側Ｚ２の端面は、第１基板５１の第１面５１ａ（張出部５１５）に対向している。その他の構成は、実施の形態１と同様であるため、本形態は、実施の形態１と略同様な効果を奏する。
【０１２５】
また、本形態では、第１基板５１、第２基板５２および第２透光板５７の周りに肉厚の放熱部材３０が配置されているので、電気光学パネル４０の熱を、放熱部材３０を介してフレーム６０に効率よく逃がすことができる。特に、フレーム６０として、樹脂製部材の表面に金属層を設けた成形品を用いた場合や、金属材料の種類によって、放熱部材３０がフレーム６０より熱伝導率が高い場合、電気光学パネル４０の熱を放熱部材３０に効率よく逃がすことができる。それ故、放熱部材３０を用いることによって、電気光学パネル４０全体の温度ばらつきや温度上昇を低く抑えることができる。
【０１２６】
かかる構成の電気光学モジュール１０の製造工程では、放熱部材３０を第２透光板５７の位置決め部材として用いることができる。より具体的には、電気光学パネル４０の第１基板５１に第１透光板５６を貼付した後、第１透光板５６を貼付した電気光学パネル４０を放熱部材３０の内側に収容する。その際、放熱部材３０の内側に接着剤Ｐを塗布しておく。次に、放熱部材３０の開口部３８から第２透光板５７を挿入し、第２透光板５７を放熱部材３０によって位置決め状態で、第２透光板５７と電気光学パネル４０の第２基板５２とを接着剤を介して重なる。次に、第１透光板５６、電気光学パネル４０および第２透光板５７を内側に保持した放熱部材３０をフレーム６０の内側に収容する。その際、フレーム６０の内側に接着剤Ｐを塗布しておく。しかる後に、遮光板８０をフレーム６０と結合させ、この状態で、接着剤Ｐを硬化させる。
【０１２７】
また、第１透光板５６を貼付した電気光学パネル４０、および放熱部材３０をフレーム６０の内側に収容した後、放熱部材３０を第２透光板５７の位置決めに用いてもよい。より具体的には、第１透光板５６を貼付した電気光学パネル４０、および放熱部材３０をフレーム６０の内側に収容した後、放熱部材３０の開口部３８から第２透光板５７を挿入し、第２透光板５７を放熱部材３０によって位置決め状態で、第２透光板５７と電気光学パネル４０の第２基板５２とを接着剤を介して重なる。しかる後に、遮光板８０をフレーム６０と結合させ、この状態で、接着剤Ｐを硬化させる。
【０１２８】
［実施の形態５の変形例１］
上記の実施の形態５で説明した電気光学モジュール１０において、実施の形態３の変形例１で説明したように、遮光板８０を用いない構成を採用することにより、冷却空気が第２透光板５７のＺ軸方向の一方側Ｚ１の面に沿ってＹ軸方向の他方側Ｙ２から一方側Ｙ１にスムーズに流れるようにしてもよい。
【０１２９】
［実施の形態５の変形例２］
上記の実施の形態５および実施の形態５の変形例１で説明した電気光学モジュール１０において、実施の形態１の変形例１で説明したように、第１透光板５６の電気光学パネル４０側の面に見切り用の遮光層５６９を形成し、第１透光板５６側に板状遮光部６７を設けない構成を採用してもよい。かかる構成によれば、第１透光板５６のＺ軸方向の他方側Ｚ２には、板状遮光部６７に起因する段差がないので、冷却空気は、Ｙ軸方向の他方側Ｙ２から一方側Ｙ１にスムーズに流れる。
【０１３０】
［実施の形態５の変形例３］
上記の実施の形態５および実施の形態５の変形例１で説明した電気光学モジュール１０において、実施の形態１の変形例２で説明したように、第１透光板５６を第１基板５１よりサイズを大きくするとともに、電気光学パネル４０側の面に見切り用の遮光層５６９を形成し、第１透光板５６側に板状遮光部６７を設けない構成を採用してもよい。かかる構成によれば、第１透光板５６のＺ軸方向の他方側Ｚ２には、板状遮光部６７に起因する段差がないので、冷却空気は、Ｙ軸方向の他方側Ｙ２から一方側Ｙ１にスムーズに流れる。
【０１３１】
［実施の形態６］
図１６は、本発明の実施の形態６に係る電気光学モジュール１０の断面図であり、図１６（ａ）、（ｂ）は、電気光学モジュールのＹＺ断面図、およびＸＺ断面図である。なお、本形態の基本的な構成は、実施の形態１と同様であるため、共通する部分には同一の符号を付してそれらの説明を省略する。
【０１３２】
図１６に示すように、本形態の電気光学モジュール１０でも、実施の形態１と同様、電気光学パネル４０とフレーム６０との間には放熱部材３０が配置されている。また、実施の形態１と同様、第１透光板５６は、第１基板５１よりサイズが小さく、第１基板５１の第１透光板５６側の面には、第１透光板５６の全周にわたって、第１透光板５６から張り出した張出面５５が形成されている。
【０１３３】
本形態では、実施の形態２と同様、第１透光板５６の側面５６１、５６２、５６３、５６４とフレーム６０との間には広い隙間が空いている。そこで、第１透光板５６の側面５６１、５６２、５６３、５６４とフレーム６０との間に形成されている隙間には矩形枠状のプレート７０が配置されており、電気光学パネル４０の熱をプレート７０および放熱部材３０を介してフレーム６０に逃がすようになっている。
【０１３４】
［実施の形態６の変形例１］
上記の実施の形態６で説明した電気光学モジュール１０において、実施の形態３の変形例１で説明したように、遮光板８０を用いない構成を採用することにより、冷却空気が第２透光板５７のＺ軸方向の一方側Ｚ１の面に沿ってＹ軸方向の他方側Ｙ２から一方側Ｙ１にスムーズに流れるようにしてもよい。
【０１３５】
［実施の形態６の変形例２］
上記の実施の形態６および実施の形態６の変形例１で説明した電気光学モジュール１０において、実施の形態１の変形例１で説明したように、第１透光板５６の電気光学パネル４０側の面に見切り用の遮光層５６９を形成し、第１透光板５６側に板状遮光部６７を設けない構成を採用してもよい。かかる構成によれば、第１透光板５６のＺ軸方向の他方側Ｚ２には、板状遮光部６７に起因する段差がないので、冷却空気は、Ｙ軸方向の他方側Ｙ２から一方側Ｙ１にスムーズに流れる。
【０１３６】
［実施の形態６の変形例３］
上記の実施の形態６および実施の形態６の変形例１で説明した電気光学モジュール１０において、実施の形態１の変形例２で説明したように、第１透光板５６を第１基板５１よりサイズを大きくするとともに、電気光学パネル４０側の面に見切り用の遮光層５６９を形成し、第１透光板５６側に板状遮光部６７を設けない構成を採用してもよい。かかる構成によれば、第１透光板５６のＺ軸方向の他方側Ｚ２には、板状遮光部６７に起因する段差がないので、冷却空気は、Ｙ軸方向の他方側Ｙ２から一方側Ｙ１にスムーズに流れる。
【０１３７】
［実施の形態７］
図１７は、本発明の実施の形態７に係る電気光学モジュール１０の断面図であり、図１７（ａ）、（ｂ）は、電気光学モジュールのＹＺ断面図、およびＸＺ断面図である。なお、本形態の基本的な構成は、実施の形態１と同様であるため、共通する部分には同一の符号を付してそれらの説明を省略する。
【０１３８】
図１５に示すように、本形態の電気光学モジュール１０でも、実施の形態１と同様、電気光学パネル４０とフレーム６０との間には放熱部材３０が配置されている。また、第１基板５１の第１透光板５６からの張出面５５、および第１透光板５６の側面５６１、５６２、５６３、５６４にはフレーム６０の角部６１０、６２０、６３０、６４０が対向している。また、実施の形態５と同様、フレーム６０は、電気光学モジュール１０のＺ軸方向の他方側Ｚ２に相当する部分のみに配置され、電気光学モジュール１０のＺ軸方向の一方側Ｚ１に相当する部分には放熱部材３０が配置されている。また、実施の形態３と同様、第２透光板５７は、第２基板５２よりサイズが大きな四角形状であり、遮光層５７９は、第２透光板５７の縁まで形成されており、放熱部材３０のＺ軸方向の一方側Ｚ１の端部は遮光層５７９と対向している。
【０１３９】
［実施の形態７の変形例１］
上記の実施の形態７で説明した電気光学モジュール１０において、実施の形態３の変形例１で説明したように、遮光板８０を用いない構成を採用することにより、冷却空気が第２透光板５７のＺ軸方向の一方側Ｚ１の面に沿ってＹ軸方向の他方側Ｙ２から一方側Ｙ１にスムーズに流れるようにしてもよい。
【０１４０】
［実施の形態７の変形例２］
上記の実施の形態７および実施の形態７の変形例１で説明した電気光学モジュール１０において、実施の形態１の変形例１で説明したように、第１透光板５６の電気光学パネル４０側の面に見切り用の遮光層５６９を形成し、第１透光板５６側に板状遮光部６７を設けない構成を採用してもよい。かかる構成によれば、第１透光板５６のＺ軸方向の他方側Ｚ２には、板状遮光部６７に起因する段差がないので、冷却空気は、Ｙ軸方向の他方側Ｙ２から一方側Ｙ１にスムーズに流れる。
【０１４１】
［実施の形態７の変形例３］
上記の実施の形態７および実施の形態７の変形例１で説明した電気光学モジュール１０において、実施の形態１の変形例２で説明したように、第１透光板５６を第１基板５１よりサイズを大きくするとともに、電気光学パネル４０側の面に見切り用の遮光層５６９を形成し、第１透光板５６側に板状遮光部６７を設けない構成を採用してもよい。かかる構成によれば、第１透光板５６のＺ軸方向の他方側Ｚ２には、板状遮光部６７に起因する段差がないので、冷却空気は、Ｙ軸方向の他方側Ｙ２から一方側Ｙ１にスムーズに流れる。
【０１４２】
［実施の形態８］
図１８は、本発明の実施の形態８に係る電気光学モジュール１０の断面図であり、図１８（ａ）、（ｂ）は、電気光学モジュールのＹＺ断面図、およびＸＺ断面図である。なお、本形態の基本的な構成は、実施の形態１と同様であるため、共通する部分には同一の符号を付してそれらの説明を省略する。
【０１４３】
図１８に示すように、本形態の電気光学モジュール１０でも、実施の形態１と同様、電気光学パネル４０とフレーム６０との間には放熱部材３０が配置されている。また、実施の形態５と同様、フレーム６０は、電気光学モジュール１０のＺ軸方向の他方側Ｚ２に相当する部分のみに配置され、電気光学モジュール１０のＺ軸方向の一方側Ｚ１に相当する部分には放熱部材３０が配置されている。また、実施の形態３と同様、第２透光板５７は、第２基板５２よりサイズが大きな四角形状であり、遮光層５７９は、第２透光板５７の縁まで形成されており、放熱部材３０のＺ軸方向の一方側Ｚ１の端部は遮光層５７９と対向している。また、実施の形態１と同様、第１透光板５６は、第１基板５１よりサイズが小さく、第１基板５１の第１透光板５６側の面には、第１透光板５６の全周にわたって、第１透光板５６から張り出した張出面５５が形成されている。
【０１４４】
本形態では、実施の形態２と同様、第１透光板５６の側面５６１、５６２、５６３、５６４とフレーム６０との間には広い隙間が空いている。そこで、第１透光板５６の側面５６１、５６２、５６３、５６４とフレーム６０との間に形成されている隙間には矩形枠状のプレート７０が配置されており、電気光学パネル４０の熱をプレート７０および放熱部材３０を介してフレーム６０に逃がすようになっている。
【０１４５】
［実施の形態８の変形例１］
上記の実施の形態８で説明した電気光学モジュール１０において、実施の形態３の変形例１で説明したように、遮光板８０を用いない構成を採用することにより、冷却空気が第２透光板５７のＺ軸方向の一方側Ｚ１の面に沿ってＹ軸方向の他方側Ｙ２から一方側Ｙ１にスムーズに流れるようにしてもよい。
【０１４６】
［実施の形態８の変形例２］
上記の実施の形態８および実施の形態８の変形例１で説明した電気光学モジュール１０において、実施の形態１の変形例１で説明したように、第１透光板５６の電気光学パネル４０側の面に見切り用の遮光層５６９を形成し、第１透光板５６側に板状遮光部６７を設けない構成を採用してもよい。かかる構成によれば、第１透光板５６のＺ軸方向の他方側Ｚ２には、板状遮光部６７に起因する段差がないので、冷却空気は、Ｙ軸方向の他方側Ｙ２から一方側Ｙ１にスムーズに流れる。
【０１４７】
［実施の形態８の変形例３］
上記の実施の形態８および実施の形態８の変形例１で説明した電気光学モジュール１０において、実施の形態１の変形例２で説明したように、第１透光板５６を第１基板５１よりサイズを大きくするとともに、電気光学パネル４０側の面に見切り用の遮光層５６９を形成し、第１透光板５６側に板状遮光部６７を設けない構成を採用してもよい。かかる構成によれば、第１透光板５６のＺ軸方向の他方側Ｚ２には、板状遮光部６７に起因する段差がないので、冷却空気は、Ｙ軸方向の他方側Ｙ２から一方側Ｙ１にスムーズに流れる。
【０１４８】
［他の実施の形態］
上記実施の形態では、第１基板５１の第１透光板５６から張出面５５の幅寸法、および張出面５５とフレーム６０との重なり面積を、以下の関係
張出面５５ｃ、５５ｄ≒張出面５５ｂ＜張出面５５ａ
としたが、以下の関係
張出面５５ｃ、５５ｄ＜張出面５５ｂ＜張出面５５ａ
とすることが好ましい。
【０１４９】
電気光学モジュール１０に冷却気体を供給する場合、フレキシブル配線基板４０ｉが接続された張出部５１５が位置する側とは反対側が風上とされるので、かかる風上側での第１基板５１の張出面５５とフレーム６０との重なり幅を大にすれば、放熱効率が高まる。従って、第１張出面と第２張出面５５ｂとの間に位置する第３張出面５５ｃ、５５ｄとフレーム６０との重なり幅を狭くしても、電気光学モジュール１０全体からみれば十分な放熱性を確保することができる。それ故、第３張出面５５ｃ、５５ｄとフレーム６０との重なり幅を狭くした分、電気光学モジュール１０の幅寸法を縮小することができる。
【０１５０】
また、上記のいずれの実施の形態でも、フレーム６０の枠部６１、６２、６３、６４のＺ軸方向の他方側Ｚ２の面にＹ軸方向（冷却気体の流れる方向）に延在するリブを設けることにより、フレーム６０の表面積を拡張し、フレーム６０の放熱性を高めてもよい。
【０１５１】
上記実施の形態では、透過型の電気光学パネル４０を備えた電気光学モジュール１０を例示したが、反射型の電気光学パネル４０を備えた電気光学モジュール１０に本発明を適用してもよい。
【０１５２】
上記実施の形態では、投射型表示装置として投射像を観察する方向から投射を行う前面投射型表示装置を例示したが、投射像を観察する方向とは反対側から投射を行う背面投射型表示装置に用いる投射型表示装置に本発明を適用してもよい。
【０１５３】
上記実施の形態では、電気光学パネルとして液晶パネルを例に挙げて説明したが、本発明はこれに限定されず、有機エレクトロルミネッセンス表示用パネル、プラズマディスプレイパネル、ＦＥＤ（Field Emission Display）パネル、ＳＥＤ（Surface-Conduction Electron-Emitter Display）パネル、ＬＥＤ（発光ダイオード）表示パネル、電気泳動表示パネル等を用いた電気光学モジュールに本発明を適用してもよい。
【０１５４】
本発明を適用した電気光学モジュールについては、上記の電子機器（投射型表示装置）の他にも、ヘッドマウントディスプレイ、携帯電話機、情報携帯端末（ＰＤＡ：Personal Digital Assistants）、デジタルカメラ、液晶テレビ、カーナビゲーション装置、テレビ電話、ＰＯＳ端末、タッチパネルを備えた機器等の電子機器において直視型表示装置として用いてもよい。
【符号の説明】
【０１５５】
１・・投射型表示装置、１０・・電気光学モジュール、３０・・放熱部材、３１・・枠部（第２枠部）、３２・・枠部（第３枠部）、３３・・枠部（第４枠部）、３４・・枠部（第１枠部）、３３、３４・・枠部、４０・・電気光学パネル（液晶パネル）、４０ａ・・画像表示領域、５１・・第１基板（素子基板）、５２・・第２基板（対向基板）、５２１・・側面（第２側面）、５２２・・側面（第３側面）、５２３・・側面（第４側面）、５２４・・側面（第１側面）、５５・・第１基板の張出面、５６・・第１透光板（第１基板側透光板）、５７・・第２透光板（第２基板側透光板）、６０・・フレーム、７０・・プレート、８０・・遮光板、４５０・・電気光学物質層（液晶層）、Ｐ・・接着剤
【図１】
2015106011.tif 000003
【図２】
2015106011.tif 000004
【図３】
2015106011.tif 000005
【図４】
2015106011.tif 000006
【図５】
2015106011.tif 000007
【図６】
2015106011.tif 000008
【図８】
2015106011.tif 000009
【図７】
2015106011.tif 000010
【図９】
2015106011.tif 000011
【図１０】
2015106011.tif 000012
【図１１】
2015106011.tif 000013
【図１２】
2015106011.tif 000014
【図１３】
2015106011.tif 000015
【図１４】
2015106011.tif 000016
【図１５】
2015106011.tif 000017
【図１６】
2015106011.tif 000018
【図１７】
2015106011.tif 000019
【図１８】
2015106011.tif 000020